(57)【要約】【課題】  昇降路の配置位置に依存せず、また、乗りかご内の混雑状況に影響されずに、乗りかごの乗客が感じる閉塞感や圧迫感を緩和させることが可能なエレベータを提供する。【解決手段】  実施形態によればエレベータは、エレベータ制御盤と、エレベータの乗りかごの天井面に設置された表示装置と、コンテンツ入力装置と、表示制御装置とを備える。エレベータ制御盤は、建物に設置されたエレベータの運転状況を含む運転情報を取得する。コンテンツ入力装置は、所定のコンテンツ情報を入力する。表示制御装置は、エレベータの稼働中に、入力されたコンテンツ情報に、取得されたエレベータの運転情報を重畳させて表示装置に表示させる。【選択図】図１
2017007818.tif 000002
【特許請求の範囲】
【請求項１】
建物に設置されたエレベータの運転情報を取得するとともに、利用者の操作による前記エレベータの呼びを登録することにより、前記エレベータの乗りかごの次の目的階を決定し、決定した目的階に前記乗りかごを着床させるように前記エレベータ内の機器を制御するエレベータ制御盤と、
前記エレベータの乗りかごの天井面に設置された表示装置と、
所定のコンテンツ情報を入力するコンテンツ入力装置と、
前記エレベータの稼働中に、前記コンテンツ入力装置から入力されたコンテンツ情報に、前記エレベータ制御盤で取得された前記エレベータの運転情報および前記目的階を示す階床情報を重畳させて前記表示装置に表示させる表示制御装置と
を備えることを特徴とするエレベータ。
【請求項２】
前記表示制御装置は、前記エレベータが、登録された呼びに応答して動作している間は前記表示装置に前記コンテンツ情報を表示させ、前記乗りかごの戸開閉前になると、前記乗りかごの戸開閉を報知するための情報を表示中のコンテンツ情報に重畳させて表示させ、前記乗りかごが前記目的階に近づくと、前記目的階を示す階床情報を表示中のコンテンツ情報に重畳させて表示させ、前記乗りかごが各階を通過する時に、該当する階床を示す情報を表示中のコンテンツ情報に重畳して表示させる
ことを特徴とする請求項１に記載のエレベータ。
【請求項３】
前記乗りかごの側板の、利用者の目線よりも高い位置に設置され、前記表示制御装置の制御により、表示対象の情報を前記表示装置に投影して表示させる投影装置をさらに有する
ことを特徴とする請求項１または２に記載のエレベータ。
【請求項４】
前記投影装置は短焦点型で構成され、前記乗りかごの扉上部の幕板に内蔵されて設置される
ことを特徴とする請求項３に記載のエレベータ。
【請求項５】
前記表示制御装置は、前記表示装置に前記コンテンツ情報を表示させたときに、前記乗りかご内が所定以上の照度になるように前記コンテンツ情報を表示させる
ことを特徴とする請求項１〜４いずれか１項に記載のエレベータ。
【請求項６】
前記表示制御装置は、前記乗りかごに利用者が乗車しているときに、前記乗りかごの昇降が開始して移動速度が加速すると照度を下げ、前記目的階が近づいて減速すると照度を上げて、前記コンテンツ情報を表示させる
ことを特徴とする請求項５に記載のエレベータ。
【請求項７】
前記乗りかごの左右の側板それぞれの、利用者の目線の高さより下の位置または前記側板に設置された手摺に、水平よりも下に向けて照射するように設置された照明装置をさらに有する
ことを特徴とする請求項１〜４いずれか１項に記載のエレベータ。
【請求項８】
前記表示装置は、その左右端と前記乗りかごの側壁との間に間隙が生じるような大きさで構成され、前記乗りかごの天井の中心部付近に設置された、縦方向に所定長を有する取り付け部材に取り付けられることで前記乗りかごの天井との間に間隙が設けられて設置され、
前記表示装置の左右端より内側に対応し、前記乗りかごの天井の、前記取り付け部材を避けた位置に設置された照明装置をさらに有する
ことを特徴とする請求項１〜４いずれか１項に記載のエレベータ。
【請求項９】
前記乗りかごの天井の、左右端に近い位置に設置された照明装置と、
前記乗りかごの天井と側板とに対向し、前記側板との間に間隙を設けつつ前記照明装置それぞれを覆うように設置されたＬ字型の囲い部材とをさらに備え、
前記表示装置は、左右の前記囲い部材の間に収まる大きさで構成される
ことを特徴とする請求項１〜４いずれか１項に記載のエレベータ。
【請求項１０】
前記照明装置は、前記乗りかごに利用者が乗車しているときに、前記乗りかごの昇降が開始して移動速度が加速すると減光し、前記目的階が近づいて減速すると増光する
ことを特徴とする請求項７〜９いずれか１項に記載のエレベータ。
【発明の詳細な説明】
【技術分野】
【０００１】
本発明の実施形態は、エレベータに関する。
【背景技術】
【０００２】
従来、エレベータの乗りかごに乗車している利用者が感じる閉塞感や圧迫感を緩和させるため、展望用エレベータを設置することがある。展望用エレベータは、昇降路を建物の外壁に面するように配置し、乗りかごおよび昇降路の外壁側の面に透明ガラスを用いることで構成される。このような展望エレベータでは、エレベータの利用者が乗りかご内から建物外部の風景を展望することができるため、乗りかご内で利用者が感じる閉塞感や圧迫感が緩和される。
【０００３】
しかし、建物によっては昇降路の配置場所の関係で展望用エレベータを適用できない場合もある。そこで、乗りかごの天井に投影機を設置して床面や側面、かご扉内面に広告等のコンテンツ情報を表示する情報表示システムを搭載し、表示したコンテンツ情報に乗客の意識が向くようにすることで、利用者が感じる閉塞感や圧迫感を緩和させるエレベータがある。
【先行技術文献】
【特許文献】
【０００４】
【特許文献１】特開２００８−１５６０６６号公報
【発明の概要】
【発明が解決しようとする課題】
【０００５】
しかし、上述したような情報表示システムを搭載したエレベータでは、コンテンツ情報を乗りかごの床面や側面、かご扉内面等に表示させるため、混雑時には、コンテンツ情報の投影先が他の乗客と重なり影になったり、乗客同士が視界の妨げになったりして、コンテンツ情報を好適に視認することができない場合があった。
【０００６】
本発明は上記事情に鑑みてなされたものであり、昇降路の配置位置に依存せず、また、乗りかご内の混雑状況に影響されずに、乗りかごの乗客が感じる閉塞感や圧迫感を緩和させることが可能なエレベータの提供を目的とする。
【課題を解決するための手段】
【０００７】
上記目的を達成するための実施形態によればエレベータは、エレベータ制御盤と、エレベータの乗りかごの天井面に設置された表示装置と、コンテンツ入力装置と、表示制御装置とを備える。エレベータ制御盤は、建物に設置されたエレベータの運転状況を含む運転情報を取得する。コンテンツ入力装置は、所定のコンテンツ情報を入力する。表示制御装置は、エレベータの稼働中に、入力されたコンテンツ情報に、取得されたエレベータの運転情報を重畳させて表示装置に表示させる。
【図面の簡単な説明】
【０００８】
【図１】第１実施形態および第２実施形態によるエレベータの構成を示すブロック図。
【図２】第１実施形態によるエレベータの乗りかごを側面から見た縦断面図。
【図３】第１実施形態によるエレベータの動作を示すシーケンス図。
【図４】第１実施形態によるエレベータの乗りかごに設置されたスクリーンの表示例。
【図５】第１実施形態によるエレベータの乗りかごに設置されたスクリーンの表示例。
【図６】第２実施形態によるエレベータの乗りかごに、例（１）により照明装置が取り付けられた状態を正面から見た縦断面図。
【図７】第２実施形態によるエレベータの乗りかごに、例（２）により照明装置が取り付けられた状態を正面から見た縦断面図。
【図８】第２実施形態によるエレベータの乗りかごに、例（３）により照明装置が取り付けられた状態を正面から見た縦断面図。
【図９】第２実施形態によるエレベータの動作を示すフローチャート。
【図１０】他の実施形態によるエレベータの乗りかごを側面から見た縦断面図。
【発明を実施するための形態】
【０００９】
《第１実施形態》
〈第１実施形態によるエレベータの構成〉
本発明の一実施形態によるエレベータの構成について、図１および２を参照して説明する。本実施形態によるエレベータ１は建物内に設置され、乗りかご２と、エレベータ制御盤３と、映像表示システム４とを備える。乗りかご２は、昇降路側の側板にかご操作盤２１およびかご扉２３を有する。
【００１０】
エレベータ制御盤３は、運転情報取得部３１と、呼び登録部３２と、動作制御部３３と、情報送信部３４とを有する。運転情報取得部３１は、乗りかご２を含むエレベータ１内の各機器から、エレベータ１の運行状況に関する運転情報を所定時間間隔で取得する。運転情報には、乗りかご２の戸開閉状況や、昇降状況、いずれかの乗場への着床状況等が含まれている。呼び登録部３２は、各階のエレベータホールに設置されたホール操作盤（図示せず）で利用者によりホール呼び操作が行われると、これに基づいてホール呼びを登録する。また、乗りかご２内に設置されたかご操作盤２１で利用者によりかご呼び操作が行われると、これに基づいてかご呼びを登録する。動作制御部３３は、運転情報取得部３１で取得された運転情報や、登録されたホール呼びおよびかご呼びに基づいて次の目的階を決定し、決定した目的階に乗りかご２を着床させるためにエレベータ１内の各機器の動作を制御する。情報送信部３４は、運転情報取得部３１で取得された運転情報や、呼び登録部３２に登録された呼び情報等を、映像表示システム４に送信する。
【００１１】
映像表示システム４は、乗りかご２の天井２２に設置されたスクリーン４１（表示装置）と、乗りかご２内の側板の利用者の目線より高い位置に設置されたプロジェクタ４２（投影装置）と、映像入力装置４３（コンテンツ入力装置）と、表示制御装置４４とを有する。スクリーン４１は、乗りかご２の天井２２の一部として構成されてもよい。
【００１２】
プロジェクタ４２は、短焦点型のプロジェクタであり、乗りかご２に乗車している利用者の視界になるべく入らないようにするために、乗りかご２内のかご扉２３上部の幕板２４に内蔵された状態で設置され、スクリーン４１にコンテンツを投影する。このプロジェクタ４２は、スクリーン４１に対してなるべく広い面積でコンテンツを投影することができる位置に設置される。映像入力装置４３は、外部のネットワーク等に接続されたユーザインタフェースであり、表示対象とするコンテンツ情報としての映像情報を、ユーザの操作により外部から取り込んで入力する。表示制御装置４４は、エレベータ制御盤３から送信された情報と、映像入力装置４３により入力された映像情報とから表示情報を生成し、スクリーン４１に表示させるためにプロジェクタ４２に送信する。例えば、エレベータ１が呼びに応答して動作している間は、取得した映像情報を表示情報としてプロジェクタ４２に送信する。また、乗りかご２の戸開閉前になると、表示中の映像情報に、乗りかご２の戸開閉を報知するためのテキスト情報を重畳させた表示情報を生成して送信する。また、乗りかご２が昇降し目的階に近づくと、表示中の映像情報に、目的階の階床を示すテキスト情報を重畳させた表示情報を生成して送信する。
【００１３】
〈第１実施形態によるエレベータの動作〉
次に、本実施形態によるエレベータ１において、運行状況に応じてエレベータ制御盤３および映像表示システム４で実行される動作について、図３のシーケンス図を参照して説明する。
【００１４】
まず、エレベータ１の乗りかご２が待機状態であるときには、その旨がエレベータ制御盤３の運転情報取得部３１で取得されて情報送信部３４から映像表示システム４に送信される（Ｓ１）。映像表示システム４では、乗りかご２が待機状態であることを示す情報が取得されている間は、表示制御装置４４による、プロジェクタ４２からスクリーン４１への表示処理が停止される（Ｓ２）。
【００１５】
次に、いずれかの階床で利用者によりホール呼び操作が行われ、呼び登録部３２にホール呼びが登録されると（Ｓ３の「YES」）、これを通知するためのホール呼び登録通知情報が、情報送信部３４から映像表示システム４に送信される（Ｓ４）。映像表示システム４でホール呼び登録通知情報が受信されると、表示制御装置４４による表示制御が開始され、映像入力装置４３から入力された映像情報がプロジェクタ４２からスクリーン４１へ表示される（Ｓ５）。
【００１６】
また、登録されたホール呼びに応答して動作制御部３３によりエレベータ１内の機器の動作が制御され、乗りかご２が目的階に向けて昇降される（Ｓ６）。乗りかご２が目的階に着床し戸開すると（Ｓ７）、かご呼びが登録されたか否かが監視される（Ｓ８）。
【００１７】
戸開した乗りかご２に利用者が乗り込んでかご操作盤２１で行先階登録ボタン（図示せず）を操作し、かご呼びが登録されると（Ｓ８の「YES」）、これを通知するためのかご呼び登録通知情報が、情報送信部３４から映像表示システム４に送信される（Ｓ９）。映像表示システム４でかご呼び登録通知情報が受信されると、表示制御装置４４により、表示中の映像情報に、戸閉することを報知するためのテキスト情報「ドアが閉まります」を重畳させた表示情報が生成される。生成された表示情報は、プロジェクタ４２からスクリーン４１へ表示される（Ｓ１０）。
【００１８】
次に、エレベータ制御盤３において、登録されたかご呼びに応答して動作制御部３３により乗りかご２が戸閉され、目的階に向けて昇降が開始される。そして、乗りかご２の昇降が開始されたことを通知するための昇降開始情報が、情報送信部３４から映像表示システム４に送信される（Ｓ１１）。映像表示システム４で昇降開始情報が受信されると、表示制御装置４４により、表示情報から、戸閉することを報知するためのテキスト情報が削除される（Ｓ１２）。
【００１９】
次に、乗りかご２が目的階に近づいたことが運転情報取得部３１で検知されると（Ｓ１３の「YES」）、これを通知するための目的階接近情報が、情報送信部３４から映像表示システム４に送信される（Ｓ１４）。乗りかご２が目的階に近づいたか否かは、運転情報取得部３１で取得されるエレベータ１内の運転情報と、動作制御部３３で決定された目的階の情報とに基づいて、乗りかご２と目的階との間の距離が所定値以下になったか否か、または乗りかご２の移動速度が減速状態になったかにより判定される。
【００２０】
映像表示システム４で目的階接近情報が受信されると、表示制御装置４４により、表示中の映像情報に目的階の階床を示すテキスト情報を重畳させた表示情報が生成され、プロジェクタ４２からスクリーン４１へ表示される（Ｓ１５）。図４は、スクリーン４１に情報が表示された状態を示す一例であり、映像情報に、目的階の階床を示すテキスト情報「３階」が表示されている。
【００２１】
次に、乗りかご２が目的階に着床すると、これを通知するための着床通知情報が、情報送信部３４から映像表示システム４に送信される（Ｓ１６）。映像表示システム４で着床通知情報が受信されると、表示制御装置４４により、表示中の映像情報に、戸開することを報知するためのテキスト情報「ドアが開きます」および戸開方向を示す矢印情報を重畳させた表示情報が生成され、プロジェクタ４２からスクリーン４１へ表示される（Ｓ１７）。図５は、スクリーン４１に情報が表示された状態を示す一例であり、映像情報に、目的階の階床を示すテキスト情報「３階」に加え、テキスト情報「ドアが開きます」および戸開方向を示す矢印情報が表示されている。
【００２２】
次に、乗りかご２が目的階で戸開すると、これを通知するための戸開通知情報が、情報送信部３４から映像表示システム４に送信される（Ｓ１８）。映像表示システム４で戸開通知情報が受信されると、表示制御装置４４により、表示情報から、階床を示すテキスト情報および戸開することを報知するためのテキスト情報が削除される（Ｓ１９）。
【００２３】
そして、エレベータ制御盤３にさらにホール呼びまたはかご呼びが登録されているとき（Ｓ２０の「YES」）にはステップＳ９〜Ｓ１９の処理が繰り返され、ホール呼びもかご呼びも登録されていないとき（Ｓ２０の「NO」）には、乗りかご２が待機状態となりステップＳ１に戻る。
【００２４】
以上の第１実施形態によれば、乗りかごの天井面にコンテンツ情報を表示させることで、利用者が乗りかご内のどの位置に乗車していても、また混雑していても、目線よりも高い位置で他の乗客の影にならずに、コンテンツ情報を視聴することができる。ここで、コンテンツ情報として風景映像情報を表示させると、利用者が感じる閉塞感や圧迫感を緩和させて乗りかご内を広く感じさせることができ、また、利用者の気を引くコンテンツ情報を表示させると、利用者同士の気まずさを緩和させることができる。また、当該コンテンツ情報に、目的階や戸開閉予定の情報を重畳させて表示させることにより、利用者が目的地への接近状態を認識することができ、降り忘れの発生を防止して利便性を向上させることができる。
【００２５】
上述した第１実施形態において、表示制御装置４４の制御によりスクリーン４１に映像情報を表示させるときに、乗りかご２内が、利用者の歩行の安全が確保される程度の明るさになるときには、乗りかご２内に照明装置を設置しなくてもよい。この場合、表示制御装置４４は、乗りかご２に利用者が乗車しているときに乗りかご２の昇降が開始して移動速度が加速すると、映像情報の表示の照度を下げ、目的階が近づいて減速すると、表示の照度を上げることで、昇降時には映像情報を視認しやすくしつつ、利用者の乗降時には利用者の安全を確保することができる。
【００２６】
《第２実施形態》
本発明の第２実施形態としてのエレベータ１では、第１実施形態で説明した各装置の機能に加え、エレベータ制御盤３の動作制御部３３において、乗りかご２内の照明装置のＯＮ／ＯＦＦや照度を制御する機能を有している。
【００２７】
本実施形態によるエレベータ１において、乗りかご２内の照明装置の取り付け位置の例（１）〜（３）について、図６〜８を参照して説明する。
【００２８】
［照明装置の取り付け位置の例（１）］
乗りかご２内の照明装置の取り付け位置の例（１）では、図６に示すように、乗りかご２の左右側板２５それぞれにおける利用者の目線の高さより下の位置（例えば、腰の高さ程度の位置）または、側板２５に設置された手摺に、照明装置２６−１Ａ、２６−１Ｂを設置する。
【００２９】
この位置に設置すると、利用者がスクリーン４１の表示情報を見る際に、照明装置２６−１Ａ、２６−１Ｂの光源が直接視界に入ることがなく、視認の妨げとなることを避けることができる。また、照明装置２６−１Ａ、２６−１Ｂを、水平よりも下に向けて照射するように設置することで、床面対しては十分な照度を与えて利用者の歩行の安全を確保することができるとともに、天井２２に対しては照度を与えすぎずにスクリーン４１の表示情報を鮮明に表示させることができる。また、照明装置２６−１Ａ、２６−１Ｂが天井２２以外に設置されるため、スクリーン４１の大きさが制限されることがない。
【００３０】
［照明装置の取り付け位置の例（２）］
乗りかご２内の照明装置の取り付け位置の例（２）では、図７に示すように、スクリーン４１が、天井２２の中心部付近に設置された、縦方向に所定長を有する取り付け部材２７に取り付けられることで、天井２２とスクリーン４１との間に数センチメートル〜十数センチメールの間隙を設ける。またスクリーン４１は、その左右端と側板２５との間にも間隙が生じるような大きさで構成されたものとする。そして、スクリーン４１の左右端より内側（中心部側）に対応し、天井２２の取り付け部材２７を避けた位置に、照明装置２６−２Ａ、２６−２Ｂを設置する。
【００３１】
このように照明装置２６−２Ａ、２６−２Ｂを設置することにより、照射された光が側板２５で反射されてスクリーン４１と側板２５との間隙を通り、乗りかご２内に間接的な照明が提供される。これにより、乗りかご２内の床面に対しては十分な照度を与えて利用者の歩行の安全を確保することができるとともに、利用者が天井２２を見上げた際に照明装置２６−２Ａ、２６−２Ｂの光源が視界に入ることがなく、スクリーン４１に対して照明装置２６−２Ａ、２６−２Ｂからの直接光が当たることもないため、スクリーン４１の表示情報を鮮明に表示させることができる。
【００３２】
［照明装置の取り付け位置の例（３）］
乗りかご２内の照明装置の取り付け位置の例（３）では、図８に示すように、天井２２の左右端に近い位置に照明装置２６−３Ａ、２６−３Ｂを設置する。また、天井２２と側板２５とに対向し、側板２５との間に間隙を設けつつ照明装置２６−３Ａ、２６−３Ｂそれぞれを覆うように、Ｌ字型の囲い部材２８Ａ、２８Ｂを設置する。そして、スクリーン４１は、囲い部材２８Ａと２８Ｂとの間に収まる大きさのものを、天井２２に設置する。
【００３３】
このように照明装置２６−３Ａ、２６−３Ｂ、および囲い部材２８Ａ、２８Ｂを設置することにより、照射された光が側板２５で反射されて、囲い部材２８Ａ、２８Ｂと側板２５との間隙を通り、乗りかご２内に間接的な照明が提供される。これにより、スクリーン４１の大きさは多少制限されるが、乗りかご２内の床面に対しては十分な照度を与えて利用者の歩行の安全を確保することができるとともに、利用者が天井２２を見上げた際に照明装置２６−３Ａ、２６−３Ｂの光源が視界に入ることがなく、スクリーン４１に対して照明装置２６−３Ａ、２６−３Ｂからの光が直接当たることもないため、スクリーン４１の表示情報を鮮明に表示させることができる。
【００３４】
〈第２実施形態によるエレベータの動作〉
上述した例（１）〜（３）いずれかのように照明装置２６（照明装置２６−１Ａ、２６−１Ｂ、２６−２Ａ、２６−２Ｂ、２６−３Ａ、および２６−３Ｂを総称して照明装置２６と称する。）が設置されたエレベータ１において、運転情報に応じてエレベータ制御盤３で実行される照明装置２６のＯＮ／ＯＦＦや照度の制御の動作について、図９のシーケンス図を参照して説明する。本実施形態において、エレベータ１の映像表示システム４では、以下に説明する照明装置の制御と並行して、第１実施形態で説明した処理と同様に、運行状況に応じたスクリーン４１への表示制御が実行されている。
【００３５】
まず、エレベータ１の乗りかご２が待機状態であるときには、照明装置２６が消灯または通常時よりも減光されている（Ｓ２１）。そして、いずれかの階床で利用者によりホール呼び操作が行われ、呼び登録部３２にホール呼びが登録されると（Ｓ２２の「YES」）、動作制御部３３により照明装置２６が点灯または増光され、通常時の照度（例えば、乗りかご２の床面が利用者の歩行のために十分な明るさになるような照度）にて点灯される（Ｓ２３）。
【００３６】
次に、登録されたホール呼びに応答して動作制御部３３によりエレベータ１内の機器の動作が制御され、乗りかご２が目的階に向けて昇降される（Ｓ２４）。乗りかご２が目的階に着床し戸開すると（Ｓ２５）、かご呼びが登録されたか否かが監視される（Ｓ２６）。
【００３７】
戸開した乗りかご２に利用者が乗り込んでかご操作盤２１で行先階登録ボタンを操作し、かご呼びが登録されると（Ｓ２６の「YES」）、これに応答して動作制御部３３により乗りかご２が戸閉され、目的階に向けて昇降が開始される（Ｓ２７）。乗りかご２の昇降が開始され乗りかご２の移動速度が加速すると、これに合わせて乗りかご２内が減光され、利用者がスクリーン４１の映像情報を視認しやすくなるように照明装置２６の照度が制御される（Ｓ２８）。
【００３８】
次に、乗りかご２が目的階に近づき、乗りかご２の移動速度が減速すると（Ｓ２９の「YES」）、これに合わせて乗りかご２内が通常時の照度まで増光されるように、照明装置２６の照度が制御される（Ｓ３０）。乗りかご２が目的階に着床し戸開すると（Ｓ３１）、戸開している間は、通常時の照度による照明装置２６の点灯が維持される（Ｓ３２）。
【００３９】
そして、エレベータ制御盤３にさらにホール呼びまたはかご呼びが登録されているとき（Ｓ３３の「YES」）にはステップＳ２７〜Ｓ３２の処理が繰り返され、ホール呼びもかご呼びも登録されていないとき（Ｓ３３の「NO」）には、乗りかご２が待機状態となりステップＳ２１に戻る。
【００４０】
以上の第２実施形態によれば、天井面にコンテンツ情報を表示させるように構成したエレベータにおいて、利用者がコンテンツ情報を見る際に、乗りかご内の照明光が視認の妨げとならないような位置に照明装置を設置することで、利用者の安全を確保するとともに、利用者によるコンテンツ情報の視認をしやすくすることができる。また、利用者の移動が少ない乗りかごの昇降中にのみ、照明装置の照度を下げることにより、利用者の利便性を低下させずに、さらにコンテンツ情報の視認をしやすくすることができる。
【００４１】
上述した第２実施形態において、図１０に示すように、スクリーン４１を液晶等の薄型モニタ４５で構成して天井２２に設置し、映像表示システム４の表示制御装置４４が当該薄型モニタ４５への表示を制御するようにしてもよい。
【００４２】
また、上述した第１実施形態および第２実施形態においては、乗りかごの目的階が近づいたときに目的階の階床を示すテキスト情報がスクリーンの映像情報に重畳される場合について説明したが、乗りかごが昇降して各階を通過する時に、該当する階床を示すテキスト情報をスクリーンに表示中の映像情報に重畳させるようにしてもよい。このように各階床を示すテキスト情報を表示させることにより、利用者が運行状況を詳細に認識することができ、利便性が向上する。
【００４３】
本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００４４】
１…エレベータ、２…乗りかご、３…エレベータ制御盤、４…映像表示システム、２１…かご操作盤、２２…天井、２３…かご扉、２４…幕板、２５…側板、２６，２６−１Ａ，２６−１Ｂ，２６−２Ａ，２６−２Ｂ，２６−３Ａ，２６−３Ｂ…照明装置、２７…取り付け部材、２８Ａ，２８Ｂ…囲い部材、３１…運転情報取得部、３２…呼び登録部、３３…動作制御部、３４…情報送信部、４１…スクリーン（表示装置）、４２…プロジェクタ（投影装置）、４３…映像入力装置（コンテンツ入力装置）、４４…表示制御装置、４５…薄型モニタ
【図１】
2017007818.tif 000003
【図２】
2017007818.tif 000004
【図３】
2017007818.tif 000005
【図４】
2017007818.tif 000006
【図５】
2017007818.tif 000007
【図６】
2017007818.tif 000008
【図７】
2017007818.tif 000009
【図８】
2017007818.tif 000010
【図９】
2017007818.tif 000011
【図１０】
2017007818.tif 000012
【手続補正書】
【提出日】平成28年10月3日(2016.10.3)
【手続補正１】
【補正対象書類名】特許請求の範囲
【補正対象項目名】全文
【補正方法】変更
【補正の内容】
【特許請求の範囲】
【請求項１】
建物に設置されたエレベータの運転情報を取得するとともに、利用者の操作による前記エレベータの呼びを登録することにより、前記エレベータの乗りかごの次の目的階を決定し、決定した目的階に前記乗りかごを着床させるように前記エレベータ内の機器を制御するエレベータ制御盤と、
前記エレベータの乗りかごの天井面に設置された表示装置と、
所定のコンテンツ情報を入力するコンテンツ入力装置と、
前記エレベータの稼働中に、前記コンテンツ入力装置から入力されたコンテンツ情報に、前記エレベータ制御盤で取得された前記エレベータの運転情報および前記目的階を示す階床情報を重畳させた表示情報を生成する表示制御装置と、
前記乗りかごの側板の、利用者の目線よりも高い位置に設置され、前記表示制御装置で生成された表示情報を前記表示装置に投影して表示させる投影装置と
を備えることを特徴とするエレベータ。
【請求項２】
前記表示制御装置は、前記エレベータが、登録された呼びに応答して動作している間は前記表示装置に前記コンテンツ情報を表示させ、前記乗りかごの戸開閉前になると、前記乗りかごの戸開閉を報知するための情報を表示中のコンテンツ情報に重畳させて表示させ、前記乗りかごが前記目的階に近づくと、前記目的階を示す階床情報を表示中のコンテンツ情報に重畳させて表示させ、前記乗りかごが各階を通過する時に、該当する階床を示す情報を表示中のコンテンツ情報に重畳して表示させる
ことを特徴とする請求項１に記載のエレベータ。
【請求項３】
前記投影装置は短焦点型で構成され、前記乗りかごの扉上部の幕板に内蔵されて設置される
ことを特徴とする請求項１または２に記載のエレベータ。
【請求項４】
前記表示制御装置は、前記表示装置への前記表示情報の表示により、前記乗りかご内が、利用者の歩行の安全が確保される程度の明るさになるように表示制御を行う
ことを特徴とする請求項１〜３いずれか１項に記載のエレベータ。
【請求項５】
前記表示制御装置は、前記乗りかごに利用者が乗車しているときに、前記乗りかごの昇降が開始して移動速度が加速すると表示情報の表示の照度を下げ、前記目的階が近づいて減速すると表示情報の表示の照度を上げるように、表示制御を行う
ことを特徴とする請求項４に記載のエレベータ。
【請求項６】
前記乗りかごの左右の側板それぞれの、利用者の目線の高さより下の位置または前記側板に設置された手摺に、水平よりも下に向けて照射するように設置された照明装置をさらに有する
ことを特徴とする請求項１〜５いずれか１項に記載のエレベータ。
【請求項７】
前記表示装置は、その左右端と前記乗りかごの側壁との間に間隙が生じるような大きさで構成され、前記乗りかごの天井の中心部付近に設置された、縦方向に所定長を有する取り付け部材に取り付けられることで前記乗りかごの天井との間に間隙が設けられて設置され、
前記表示装置の左右端より内側に対応し、前記乗りかごの天井の、前記取り付け部材を避けた位置に設置された照明装置をさらに有する
ことを特徴とする請求項１〜６いずれか１項に記載のエレベータ。
【請求項８】
前記乗りかごの天井の、左右端に近い位置に設置された照明装置と、
前記乗りかごの天井と側板とに対向し、前記側板との間に間隙を設けつつ前記照明装置それぞれを覆うように設置されたＬ字型の囲い部材とをさらに備え、
前記表示装置は、左右の前記囲い部材の間に収まる大きさで構成される
ことを特徴とする請求項１〜６いずれか１項に記載のエレベータ。
【請求項９】
前記照明装置は、前記乗りかごに利用者が乗車しているときに、前記乗りかごの昇降が開始して移動速度が加速すると減光し、前記目的階が近づいて減速すると増光する
ことを特徴とする請求項６〜８いずれか１項に記載のエレベータ。
【手続補正２】
【補正対象書類名】明細書
【補正対象項目名】０００７
【補正方法】変更
【補正の内容】
【０００７】
上記目的を達成するための実施形態によればエレベータは、エレベータ制御盤と、エレベータの乗りかごの天井面に設置された表示装置と、コンテンツ入力装置と、表示制御装置と、投射装置とを備える。エレベータ制御盤は、建物に設置されたエレベータの運転状況を含む運転情報を取得する。コンテンツ入力装置は、所定のコンテンツ情報を入力する。表示制御装置は、エレベータの稼働中に、入力されたコンテンツ情報に、取得されたエレベータの運転情報を重畳させた表示情報を生成する。投射装置は、乗りかごの側板の、利用者の目線よりも高い位置に設置され、表示制御装置で生成された表示情報を表示装置に投影して表示させる。